【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
文書データを管理する管理手段と、前記管理手段で管理する前記文書データを更新する更新手段とを備えるサーバ装置と通信可能な情報処理装置であって、
前記管理手段で管理する前記文書データを取得して前記情報処理装置に表示するように制御する表示制御手段と、
前記文書データを前記情報処理装置で表示済みかを示す表示情報を管理する表示情報管理手段と、
前記更新手段により更新される前の前記文書データを前記情報処理装置で表示済みかを、前記表示情報管理手段で管理する当該文書データの表示情報を用いて判定する判定手段と、
前記判定手段により当該文書データを前記情報処理装置で表示済みであると判定されることを条件に、前記更新手段により当該文書データを更新した後の更新文書データを前記情報処理装置に表示するかの入力を受け付ける受付手段と
を備え、
前記表示制御手段は、前記判定手段により前記更新手段により更新される前の前記文書データを前記情報処理装置に未表示であると判定されることを条件に、前記受付手段により入力を受け付けることなく、前記更新文書データを前記情報処理装置に表示するように制御することを特徴とする情報処理装置。
【請求項２】
前記表示制御手段は、前記判定手段により前記文書データが前記情報処理装置で表示済みであると判定されることを条件に、当該文書データと、当該文書データを更新した更新文書データとの差分の情報を前記情報処理装置に表示することを特徴とする請求項１に記載の情報処理装置。
【請求項３】
前記文書データが複数のページからなる場合には、各ページが別々のファイルであることを特徴とする請求項１または２に記載の情報処理装置。
【請求項４】
前記表示制御手段は、前記文書データをページ単位で前記情報処理装置に表示し、
前記判定手段は、前記情報処理装置に表示するページを移動する入力を受け付けることを条件に、移動先のページに対して、前記判定を行うことを特徴とする請求項1乃至３のいずれか1項に記載の情報処理装置。
【請求項５】
前記表示制御手段は、前記更新文書データを前記情報処理装置に表示するように制御する場合に、当該更新文書データを表示したことを識別可能な情報を前記情報処理装置に表示することを特徴とする請求項１乃至４のいずれか1項に記載の情報処理装置。
【請求項６】
文書データを管理する管理手段と、前記管理手段で管理する前記文書データを更新する更新手段とを備えるサーバ装置と通信可能な情報処理装置の制御方法であって、
前記管理手段で管理する前記文書データを取得して前記情報処理装置に表示するように制御する表示制御工程と、
前記文書データを前記情報処理装置で表示済みかを示す表示情報を管理する表示情報管理工程と、
前記更新手段で更新される前の前記文書データを前記情報処理装置で表示済みかを、前記表示情報管理工程で管理する当該文書データの表示情報を用いて判定する判定工程と、
前記判定工程で当該文書データを前記情報処理装置で表示済みであると判定されることを条件に、前記更新手段により当該文書データを更新した後の更新文書データを前記情報処理装置に表示するかの入力を受け付ける受付工程と
を備え、
前記表示制御工程は、前記判定工程で前記更新手段により更新される前の前記文書データを前記情報処理装置に未表示であると判定されることを条件に、前記受付工程で入力を受け付けることなく、前記更新文書データを前記情報処理装置に表示するように制御することを特徴とする情報処理装置の制御方法。
【請求項７】
コンピュータを、請求項１乃至５のいずれか１項に記載の情報処理装置の各手段として機能させるためのコンピュータプログラム。
【手続補正２】
【補正対象書類名】明細書
【補正対象項目名】発明の名称
【補正方法】変更
【補正の内容】
【発明の名称】情報処理装置、情報処理装置の制御方法、およびプログラム
【手続補正３】
【補正対象書類名】明細書
【補正対象項目名】０００１
【補正方法】変更
【補正の内容】
【０００１】
本発明は、情報処理装置、情報処理装置の制御方法、およびプログラムに関し、特に、更新される前の文書データが情報処理装置で表示済みであれば、更新した後の文書データを表示するかの入力を受け、更新される前の文書データが情報処理装置で表示済みでなければ、更新した後の文書データを表示することで、ユーザによる文書の閲覧の利便性を高めることが可能な仕組みに関する。
【手続補正４】
【補正対象書類名】明細書
【補正対象項目名】０００７
【補正方法】変更
【補正の内容】
【０００７】
本発明は、更新される前の文書データが情報処理装置で表示済みであれば、更新した後の文書データを表示するかの入力を受け、更新される前の文書データが情報処理装置で表示済みでなければ、更新した後の文書データを表示することで、ユーザによる文書の閲覧の利便性を高めることが可能な仕組みを提供することを目的とする。
【手続補正５】
【補正対象書類名】明細書
【補正対象項目名】０００８
【補正方法】変更
【補正の内容】
【０００８】
本発明は、文書データを管理する管理手段と、前記管理手段で管理する前記文書データを更新する更新手段とを備えるサーバ装置と通信可能な情報処理装置であって、前記管理手段で管理する前記文書データを取得して前記情報処理装置に表示するように制御する表示制御手段と、前記文書データを前記情報処理装置で表示済みかを示す表示情報を管理する表示情報管理手段と、前記更新手段により更新される前の前記文書データを前記情報処理装置で表示済みかを、前記表示情報管理手段で管理する当該文書データの表示情報を用いて判定する判定手段と、前記判定手段により当該文書データを前記情報処理装置で表示済みであると判定されることを条件に、前記更新手段により当該文書データを更新した後の更新文書データを前記情報処理装置に表示するかの入力を受け付ける受付手段とを備え、前記表示制御手段は、前記判定手段により前記更新手段により更新される前の前記文書データを前記情報処理装置に未表示であると判定されることを条件に、前記受付手段により入力を受け付けることなく、前記更新文書データを前記情報処理装置に表示するように制御することを特徴とする。
【手続補正６】
【補正対象書類名】明細書
【補正対象項目名】０００９
【補正方法】変更
【補正の内容】
【０００９】
また、本発明は、文書データを管理する管理手段と、前記管理工程で管理する前記文書データを更新する更新手段とを備えるサーバ装置と通信可能な情報処理装置の制御方法であって、前記管理手段で管理する前記文書データを取得して前記情報処理装置に表示するように制御する表示制御工程と、前記文書データを前記情報処理装置で表示済みかを示す表示情報を管理する表示情報管理工程と、前記更新工程で更新される前の前記文書データを前記情報処理装置で表示済みかを、前記表示情報管理工程で管理する当該文書データの表示情報を用いて判定する判定工程と、前記判定工程で当該文書データを前記情報処理装置で表示済みであると判定されることを条件に、前記更新手段により当該文書データを更新した後の更新文書データを前記情報処理装置に表示するかの入力を受け付ける受付工程とを備え、前記表示制御工程は、前記判定工程で前記更新手段により更新される前の前記文書データを前記情報処理装置に未表示であると判定されることを条件に、前記受付手段により入力を受け付けることなく、前記更新文書データを前記情報処理装置に表示するように制御することを特徴とする。
【手続補正７】
【補正対象書類名】明細書
【補正対象項目名】００１０
【補正方法】変更
【補正の内容】
【００１０】
本発明によれば、更新される前の文書データが情報処理装置で表示済みであれば、更新した後の文書データを表示するかの入力を受け、更新される前の当該文書データが情報処理装置で表示済みでなければ、更新した後の文書データを表示することで、ユーザによる文書の閲覧の利便性を高めることが可能な仕組みを提供することが出来る。